(57)【要約】【課題】ＧＰＳ機能がなくてもデジタルカメラで撮影した画像に撮影地点の位置情報などを関連付けるようにする。【解決手段】ナビゲーション装置３で走行軌跡上の各地点の位置情報と該地点の通過時刻を含む走行軌跡情報を管理し、走行軌跡情報を参照して、デジタルカメラ１で撮影した画像に付されている日時より前であって、該日時に最も近い通過時刻の地点を求め、該地点の位置情報を含む撮影画像関連情報を取得して記録媒体（メモリスティックなど）２に書込む。【選択図】    図１
2005020511.tif 000002
【特許請求の範囲】
【請求項１】
デジタルカメラで撮影した画像を記憶する記録媒体に該撮影画像に関連する情報を書込む撮影画像関連情報書き込み方法において、
ナビゲーション装置で走行軌跡上の各地点の位置情報と該各地点の通過時刻を含む走行軌跡情報を管理し、
前記走行軌跡情報を参照して、デジタルカメラで撮影した画像に付されている日時より前であって、該日時に最も近い通過時刻の地点を求め、
該地点の位置情報を含む撮影画像関連情報を取得して前記記録媒体に書込む、
ことを特徴とする撮影画像関連情報書き込み方法。
【発明の詳細な説明】
【０００１】
【発明の属する技術分野】
本発明は、撮影画像関連情報書き込み方法に係わり、特に、デジタルカメラで撮影した画像を記憶する記録媒体に該撮影画像に関連する情報を書込む撮影画像関連情報書き込み方法に関する。
【０００２】
【従来の技術】
デジタルカメラで撮影した画像（デジカメ画像）をカーナビゲーション装置（カーナビ）に読み込み、ユーザーが指定した地点に該デジカメ画像を貼り付けるようにした従来例がある。しかし、デジカメ画像には、位置情報がないため、ユーザーは、カーナビ上でデジカメ画像と地図の位置を関連付けしなくてはならなかった。
【０００３】
同様なシステムとして、上記作業はインターネットサービスを利用して行なう事ができるが、基本的な動作は同じであり、ユーザが指定した地図上のポイントとアップロードするデジカメ画像とを関連付けする必要がある。すなわち、この場合も、前述の従来技術と同様、ユーザーが地図上の地点を指定して所定のデジカメ画像との関連付けを行なうものである。地図とデジカメ画像の関連付けされた結果は、第１の従来例では、カーナビ側のメモリに蓄積され、第２の従来例では、サーバー側あるいはユーザーのパソコンに蓄積される。
そこで、カメラにＧＰＳ（Ｇｌｏｂａｌ  Ｐｏｓｉｔｉｏｎｉｎｇ  Ｓｙｓｔｅｍ）を内蔵し、ＧＰＳより撮影位置情報を取得し、該位置情報に基づいて地名を取得し、撮影画像と共に撮影日時、撮影場所を記録するＧＰＳカメラがある（特許文献１）。
【特許文献１】特開平７−６４１６９号
【０００４】
【発明が解決しようとする課題】
しかし、特許文献１のＧＰＳカメラは、ＧＰＳ機能を必要とし、また、地名情報登録部をも必要とするため高価となる問題がある。
以上から本発明の目的は、ＧＰＳ機能がなくてもデジタルカメラで撮影した画像に撮影地点の位置情報などを関連付けることである。
本発明の別の目的は、ドライブアルバム等を作成するに必要な撮影画像関連情報をデジタルカメラの記録媒体に記録することである。
【０００５】
【課題を解決するための手段】
上記課題は本発明によれば、ナビゲーション装置で走行軌跡上の各地点の位置情報と該各地点の通過時刻を含む走行軌跡情報を管理し、前記走行軌跡情報を参照して、デジタルカメラで撮影した画像に付されている日時より前であって、該日時に最も近い通過時刻の地点を求め、該地点の位置情報を含む撮影画像関連情報を取得して前記記録媒体に書込む、ことにより達成される。
【０００６】
【発明の実施の形態】
図１は本発明の撮影画像関連情報書き込み方法の概略説明図ある。デジタルカメラ１の記録媒体（メモリスティックなどのブリッジメディア）２に記録されている各撮影画像には撮影日時が付されている。一方、ナビゲーション装置３のメモリには出発地から目的地までの走行軌跡情報が記録されている。この走行軌跡情報は、走行軌跡上の地点（所定走行距離毎の地点あるいは交差点毎の地点など）の位置情報と該地点の通過日時を有している。
そこで、記録媒体２をデジタルカメラ１から取り外してナビゲーション装置３の記録媒体受容部に装着し、ナビゲーション装置に対して撮影画像関連情報の記録を要求する。ナビゲーション装置３は、該要求により記録媒体２に記録されている各撮影画像の撮影日時と走行軌跡情報とに基づいて、撮影日付より前であって該撮影日時に最も近い通過時刻の地点を撮影地点とみなし、該撮影地点の位置情報（経緯度）を取得し、該位置情報に基づいてデータべースより地名や周辺ＰＯＩ（Ｐｏｉｎｔ  ｏｆ  ｉｎｔｅｒｅｓｔ）を取得し、これらを撮影画像と関連付けて記録媒体２に記録する。
【０００７】
図２は撮影地点の位置情報取得説明図であり、地点Ａ′、Ｂ′、Ｃ′で降りて、それぞれ地点Ａ、Ｂ，Ｃに立ち寄ってデジタルカメラで写真を撮影し、撮影画像が記録媒体２に記録されているものとする。
出発地ＳＰから目的地ＤＰまでの走行軌跡ＲＲＴ上の各地点（立ち寄り地点Ａ、Ｂ，Ｃへ歩いて行くために降りた地点をＡ′、Ｂ′、Ｃ′を含む）の位置情報、通過時刻が走行軌跡情報としてナビゲーション装置のメモリに記憶されている。ナビゲーション装置３は、地点Ａで撮影した画像の撮影日時と走行軌跡情報とに基づいて撮影日時より前であって、最も近い通過時刻の軌跡上の地点を求める。図３を参照すれば、該当する軌跡上の地点は、地点Ａへ立ち寄るために降りた地点Ａ′である。そこで、該地点Ａ′の位置情報（経緯度：ｘａ′，ｙａ′）を含む撮影画像関連情報を取得して前記記録媒体２に書込む。撮影画像関連情報としては、地点Ａ′の地名、地点Ａ′に近い周辺ＰＯＩ（名所、施設など）、周辺地図データなどがある。
以上により、ユーザは地図とデジタルカメラの撮影画像との関連付け作業や関連情報の入力作業をすることなしに、簡単に撮影画像に位置情報や地点関連情報、撮影画像コメント情報を関連付けることができる。
【０００８】
図４はメモリスティックに記録される画像インデックス情報のフォーマット例であり、画像インデックス用として撮影画像毎に大きなサイズの領域（ａ＋ｂ）が割り当てられる。しかし、画像インデックス情報として、（１）画像番号、（２）撮影画像記録時のカメラデータ（ＩＳＯ感度、シャッタースピード、絞り、色補正、．．．．，撮影日付、撮影時刻、．．．．）しかなく、これら情報のみが記録媒体に記録されるだけであり、領域ｂが未使用領域となる。
【０００９】
本発明によれば、、図５に示すようにこの領域ｂに撮影画像関連情報を取得して記録する。撮影画像関連情報としては、（１）撮影地点の位置情報（経緯度：ｘａ′，ｙａ′）、（２）地点関連情報（地点名、周辺ＰＯＩ、周辺地図データなど）、（３）撮影画像をコメントするためのコメント情報（ドライブ関連情報（出発地、目的地、経由地）、車両情報（燃費、平均速度）、天気、ニュースなど）がある。
【００１０】
図６は本発明のナビゲーション装置の構成図である。図中、１１は地図を記憶する地図記憶媒体で、例えばＤＶＤ、１２は地図記録媒体からの地図情報の読み取りを制御する記録媒体制御部、１３は車両現在位置を測定する位置測定装置であり、移動距離を検出する車速センサー、移動方位を検出するジャイロ、位置計算用ＣＰＵ、ＧＰＳ受信機等で構成されている。１４は地図記録媒体から読出した一部地図情報を記憶する地図情報メモリ、１５は地図記録媒体から読出したＰＯＩデータベース情報を記憶する  ＰＯＩデータベースメモリ、１６は走行軌跡情報を保存する走行軌跡メモリである。
【００１１】
１７はメニュー選択操作、拡大／縮小操作、目的地入力操作等を行うリモコン、１８はリモコンインタフェースである。１９はナビゲーション装置全体を制御するプロセッサ（ＣＰＵ）、２０は各種制御プログラムを記憶するＲＯＭ、２１は誘導経路など処理結果等を記憶するＲＡＭ、２２は交差点での進行方向の案内を音声で行う音声案内部、２３は地図情報に基づいて地図画像を発生するディスプレイコントローラ、２４はディスプレイコントローラで発生した画像を記憶するＶＲＡＭ、２５はメニュー画像／各種リスト画像を発生するメニュー／リスト発生部、２６は合成部、２７はモニター装置、２８はメモリスティック２を受容するメモリスティック受容部、２９はインタネット接続装置、３０はバスである。
【００１２】
走行軌跡メモリ１６には図７に示す走行軌跡情報が保存されている。走行軌跡情報は、走行経路毎に、（１）ルート番号、（２）走行日、（３）出発時刻、（４）到着時刻、（５）目的地、（６）出発地、（７）経由地、（８）燃費、（９）平均時速、（１０）軌跡ポインタを備え、軌跡ポインタにより、走行軌跡データ保存場所が示されている。走行軌跡データは、（１）地点番号、（２）地点通過日時、（３）地点位置情報（経度／緯度）で構成され、地点はたとえば交差点、停車点などである。
ＲＯＭ  ２０には本発明の撮影画像関連情報書き込み処理を行うプログラムが記憶されており、ＣＰＵ１９の制御で撮影画像関連情報を取得してメモリスティック２に書込む。
【００１３】
図８は撮影画像関連情報書き込み処理フローである。
デジタルカメラ１からメモリスティック２を取り外してナビゲーション装置のメモリスティック受容部２８に装着して撮影画像関連情報書き込みを要求する（ステップ１０１）。これによりプロセッサ（ＣＰＵ）１９は、ｉ＝１とし（ステップ１０２）、メモリスティック２から第ｉ番目の画像インデックス情報を読み取り、第ｉ番目の撮影画像の撮影日時を取得する（ステップ１０３）。
ついで、走行軌跡情報より、撮影日時より前であって、最も撮影日時に近い通過時刻を有する地点を求める（ステップ１０４）。
【００１４】
地点が求まれば、該地点の位置情報（経緯度）を含む撮影画像関連情報を取得し（ステップ１０５）、該撮影画像関連情報をメモリスティック２に書込む（ステップ１０６）。撮影画像関連情報としては前述のように、（１）撮影地点の位置情報、（２）地点関連情報（地点名、周辺ＰＯＩ、周辺地図データなど）、（３）撮影画像をコメントするためのコメント情報（ドライブ関連情報（出発地、目的地、経由地）、車両情報（燃費、平均速度）、天気、ニュースなど）がある。
【００１５】
上記撮影画像関連情報のうち、撮影地点の位置情報やドライブ関連情報（出発地、目的地、経由地）、車両情報（燃費、平均速度）は走行軌跡情報より取得してメモリスティック２に記録することができる。地点関連情報（地点名、周辺ＰＯＩ、周辺地図データなど）はＰＯＩデータべース１５や地図記録媒体１１より取得してメモリスティック２に記録することができる。また、天気、ニュース情報等は、位置、日時情報に基づいてインタネットを介して該当天気、ニュース情報をダウンロードにより入手し、メモリスティック２に記録する。
【００１６】
ステップ１０６において第ｉ画像の書き込みが完了すれば、全画像の処理が終了したかチェックし（ステップ１０７）、終了してなければｉを歩進して（ステップ１０８）、以後、ステップ１０３以降の処理を繰返す。
以上より、ＧＰＳ機能がなくてもデジタルカメラで撮影した画像と共に撮影地点の位置情報や撮影画像関連情報をメモリスティックに記録することができる。この結果、メモリスティックの記録情報をパソコンに取り込むことにより、撮影画像と共に撮影地点の位置情報や周辺ＰＯＩ情報、その他、撮影画像のコメント情報を表示あるいは記録することができる。
【００１７】
図９はナビゲーション装置の別の構成図であり、異なる点はメモリスティック受容部２８を削除し、ブルートゥース（Ｂｌｕｅｔｏｏｔｈ）通信手段３１を設けた点である。デジタルカメラ１とナビゲーション装置３はブルートゥースにより無線で相互に情報を送受し、ナビゲーション装置のプロセッサ（ＣＰＵ）１９は図８の制御により撮影画像関連情報を取得してデジタルカメラ１に送信し、デジタルカメラ１は該情報をメモリスティック２に記録する。
【００１８】
図１０はメモリスティック記録情報に基づいてドライブアルバムを作成する場合の説明図である。ドライブアルバム作成用ソフトを内蔵するパソコン４に、デジタルカメラ１のメモリスティック２を装着する。パソコン４はメモリスティック２より必要な情報（撮影画像、撮影画像関連情報など）を読み取ってドライブアルバムを作成してモニターに表示する。あるいは、ブルートゥース無線通信手段を介して無線でデジタルカメラ１とパソコン４間で必要な情報を送受してドライブアルバムを作成してモニターに表示する。
図１０にはアルバム目次画面が示されており、上部にはドライブ情報を示す文字画像５１が表示され、中央部に出発地から目的地までの全経路と撮影地点Ａ，Ｂ，Ｃ等を示す走行経路の全体図５２が表示され、全体図５２の周りには各撮影地点の撮影画像５３ａ〜５３ｃ１，５３ｃ２が表示され、ニュース／天気の写真画像５４、ＰＯＩ写真画像５５などもインタネットより取得して表示されている。
【００１９】
図１１はドライブアルバム作成処理フローである。
メモリスティック２をパソコン４のメモリスティック受容部に装着する（ステップ２０１）。しかる後、アルバムの作成を指示する（ステップ２０２）。これにより、パソコン４は、アルバム作成に必要な情報（ニュース／天気の写真、ＰＯＩ写真）をインタネットで取得し（ステップ２０３）、取得した写真及び撮影画像関連情報、撮影画像を用いて図１０のアルバム目次を作成してモニターに表示する。このアルバム目次において、所定の撮影画像５３ａ〜５３ｃ１，５３ｃ２が指示されると、該撮影画像を拡大表示すると共に、撮影地点の位置情報、地点名、周辺ＰＯＩ情報、周辺地図など必要なインデックス情報を表示する（ステップ２０４）。別の撮影画像を見たければ、目次画面に戻り所定の撮影画像を選択する。
以上、メモリスティック２に撮影画像と共に、撮影画像関連情報が記録されているので、パソコン４はユーザーの指示、操作なくしてドライブアルバムを自動的に作成して表示する事ができる。
【００２０】
【発明の効果】
以上本発明によれば、ナビゲーション装置で走行軌跡上の各地点の位置情報と該各地点の通過時刻を含む走行軌跡情報を管理し、前記走行軌跡情報を参照して、デジタルカメラで撮影した画像に付されている日時より前であって該日時に最も近い通過時刻の地点を求め、該地点の位置情報を含む撮影画像関連情報を取得して前記記録媒体に書込むようにしたから、ＧＰＳ機能がなくてもデジタルカメラで撮影した画像に撮影地点の位置情報や撮影画像関連情報などを付加して表示することができる。
また、ドライブアルバム等を作成するために必要な撮影画像関連情報を日時、地点情報に基づいて取得し、取得した情報をデジタルカメラの記録媒体に記録してパソコンに入力すれば、容易に撮影画像関連情報を用いてドライブアルバムを作成することができる。
【図面の簡単な説明】
【図１】本発明の撮影画像関連情報書き込み方法の概略説明図である。
【図２】撮影地点の位置情報取得説明図である。
【図３】位置情報取得の別の説明図である。
【図４】デジタルカメラで記録される画像インデックス情報のフォーマット例である。
【図５】本発明の画像インデックス情報例である。
【図６】本発明のナビゲーション装置の構成図である。
【図７】走行軌跡情報説明図である。
【図８】撮影画像関連情報書き込み処理フローである。
【図９】ナビゲーション装置の別の構成図である。
【図１０】メモリスティック記録情報に基づいてドライブアルバムを作成する場合の説明図である。
【図１１】ドライブアルバム作成処理フローである。
【符号の説明】
１  デジタルカメラ
２  記録媒体（メモリスティックなどのブリッジメディア）
３  ナビゲーション装置
【図１】
2005020511.tif 000003
【図２】
2005020511.tif 000004
【図３】
2005020511.tif 000005
【図４】
2005020511.tif 000006
【図５】
2005020511.tif 000007
【図６】
2005020511.tif 000008
【図７】
2005020511.tif 000009
【図８】
2005020511.tif 000010
【図９】
2005020511.tif 000011
【図１０】
2005020511.tif 000012
【図１１】
2005020511.tif 000013